(57)【要約】【課題】ラインフリッカーや動画時の横筋の存在しない液晶表示装置を提供する。【解決手段】ヘッドマウントディスプレイ１は左目用ＬＣＤ２Ｌと右目用ＬＣＤ２Ｒを備え、左目用ＬＣＤ２Ｌを駆動する第１の交流反転用ドライバ３Ｌと右目用ＬＣＤ２Ｒを駆動する第２の交流反転用ドライバ３Ｒが設けられる。第１の交流反転用ドライバ３Ｌと第２の交流反転用ドライバ３Ｒは、それぞれ一水平周期毎に正極性信号と負極性信号を出力する。そして、第１の交流反転用ドライバ３Ｌが正極性信号を出力するとき、第２の交流反転用ドライバ３Ｒは負極性信号を出力し、第１の交流反転用ドライバ３Ｌが負極性信号を出力するとき、第２の交流反転用ドライバ３Ｒは正極性信号を出力して、左右のＬＣＤで一ライン毎に逆位相で画像信号が供給されるようにする。【選択図】　　　　図１
2004117894.tif 000002
【特許請求の範囲】
【請求項１】
画像を表示する第１の液晶ディスプレイと第２の液晶ディスプレイを用いて１つの画像を構成する液晶表示装置において、
前記第１の液晶ディスプレイを駆動する第１のドライバと、
前記第２の液晶ディスプレイを駆動する第２のドライバとを備え、
前記第１のドライバは、正極性信号と負極性信号を交互に出力する第１のスイッチ手段を備えるとともに、前記第２のドライバは、正極性信号と負極性信号を交互に出力する第２のスイッチ手段を備え、
前記第１のスイッチ手段が正極性信号を出力するとき、前記第２のスイッチ手段が負極性信号を出力し、
前記第１のスイッチ手段が負極性信号を出力するとき、前記第２のスイッチ手段が正極性信号を出力する
ことを特徴とする液晶表示装置。
【請求項２】
前記第１のスイッチ手段と前記第２のスイッチ手段は、一水平周期毎に正極性信号と負極性信号を出力する
ことを特徴とする請求項１記載の液晶表示装置。
【請求項３】
前記第１の液晶ディスプレイが利用者の左目に対応する位置に取り付けられ、前記第２の液晶ディスプレイが利用者の右目に対応する位置に取り付けられたヘッドマウントディスプレイとして構成された
ことを特徴とする請求項１記載の液晶表示装置。
【請求項４】
前記第１の液晶ディスプレイに立体画像を構成する第１の画像信号が供給され、前記第２の液晶ディスプレイに立体画像を構成する第２の画像信号が供給される
ことを特徴とする請求項３記載の液晶表示装置。
【請求項５】
前記第１の液晶ディスプレイの画像と前記第２の液晶ディスプレイの画像を合成してスクリーンに投射する液晶プロジェクターとして構成された
ことを特徴とする請求項１記載の液晶表示装置。
【発明の詳細な説明】
【０００１】
【発明の属する技術分野】
本発明は、２組の液晶ディスプレイを用いて１つの画像を構成する液晶表示装置に関する。詳しくは、画像信号として正極性信号と負極性信号を一水平周期毎に交互に印加する駆動方式を用いる際に、一方の液晶ディスプレイと他方の液晶ディスプレイとを逆位相の極性で駆動することで、画像の劣化を防ぐものである。
【０００２】
【従来の技術】
文字やグラフィック、映像等を表示する液晶表示装置として、能動素子をスイッチング素子として用いるアクティブマトリクス方式の液晶ディスプレイ（Ｌｉｑｕｉｄ　Ｃｒｙｓｔａｌ　Ｄｉｓｐｌａｙ：ＬＣＤ）が組み込まれるものがある。
【０００３】
図９は能動素子としてＴＦＴ（薄膜トランジスタ）を用いたアクティブマトリクス方式の液晶ディスプレイの構成例を示すブロック図である。なお、この図９では、ある画素部分を拡大して表示している。液晶ディスプレイ２０は、液晶パネル２１と、この液晶パネル２１を駆動する走査電極駆動回路２２および信号電極駆動回路２３等を備える。
【０００４】
液晶パネル２１は、複数本のデータ線２４（垂直方向）と複数本のゲート線２５（水平方向）が基板上にマトリクス状に配置され、データ線２４とゲート線２５のそれぞれの交点にＴＦＴ２６が設けられる。
【０００５】
このＴＦＴ２６は、ドレイン電極Ｄにデータ線２４が接続される。また、ソース電極Ｓに蓄積コンデンサＣｓが接続され、この蓄積コンデンサＣｓと並列に液晶表示素子ＬＣが配される。さらに、ＴＦＴ２６のゲート電極Ｇにはゲート線２５が接続される。
【０００６】
走査電極駆動回路２２および信号電極駆動回路２３は、シフトレジスタ等から構成され、走査電極駆動回路２２は、各ゲート線２５に所定の電圧（以下、ゲートパルスＶｇと称す）を印加する。また、信号電極駆動回路２３は、各データ線２４に画像信号Ｖｓｉｇを印加する。
【０００７】
このような構成の液晶ディスプレイ２０の基本的な駆動法を説明すると、走査電極駆動回路２２は、複数本のゲート２５線の内、１本（例えばＮライン目）にゲートパルスＶｇを印加し、該当ゲート線２５上に位置するＴＦＴ２６を一時導通状態にする。一方、信号電極駆動回路２３はデータ線２４を介して液晶表示素子ＬＣと蓄積コンデンサＣｓに画像信号Ｖｓｉｇを供給する。これにより、液晶表示素子ＬＣは画像信号Ｖｓｉｇと図示しない対向電極に印加される電圧Ｖｃｏｍとの差電圧ΔＶによって励起する。この動作を各ゲート線２５毎に繰り返すことにより、液晶ディスプレイ２０は画像信号Ｖｓｉｇに応じた画像を表示するようになっている。
【０００８】
一般に、液晶ディスプレイ２０を駆動する場合には、液晶表示素子ＬＣの劣化を防ぐために交流電圧駆動が行われている。例えば、対向電極の電圧Ｖｃｏｍに対して画像信号ＶｓｉｇをＶｃｏｍの両側に振ることによって、液晶表示素子ＬＣに供給される電圧の極性を反転させている。
【０００９】
さて、上述した液晶ディスプレイ２０を２枚用いて１つの画像を表示する液晶表示装置として、ヘッドマウントディスプレイ（ＨＭＤ）と称される両眼視機器が存在する。ヘッドマウントディスプレイとは、左右の目にそれぞれ対応した位置に液晶ディスプレイを備えたユニットを利用者の頭部に装着し、各ディスプレイに表示された映像をそれぞれの目で見ることで、１つの映像として認識できるようにしたものであり、小形の装置で臨場感あふれる映像を表示可能としたり、立体画像（３−Ｄ）を表示可能としたりするものである。
【００１０】
図１０は従来のヘッドマウントディスプレイの構成例を示すブロック図である。従来のヘッドマウントディスプレイ３０は、左目用の液晶ディスプレイ（左目用ＬＣＤ）２０Ｌと、右目用の液晶ディスプレイ（右目用ＬＣＤ）２０Ｒと、各液晶ディスプレイに画像信号を供給する交流反転用ドライバ２７と、図示しない再生装置から送られてくるコンポジット信号をデコードするデコーダ２８等から構成される。
【００１１】
左目用ＬＣＤ２０Ｌおよび右目用ＬＣＤ２０Ｒは、図９で説明したような液晶パネル２１、走査電極駆動回路２２および信号電極駆動回路２３等を備える。デコーダ２８は、図示しない再生装置からコンポジット信号を受け、画像信号や同期信号の分離、Ｙ／Ｃ分離を行う。
【００１２】
交流反転用ドライバ２７は、図示しない同期回路より同期信号が入力され、例えば２組のＣＭＯＳスイッチを用い、デコーダ２８からの画像信号を、一水平周期毎に正極性と負極性が現れる画像信号として出力し、左目用ＬＣＤ２０Ｌと右目用ＬＣＤ２０Ｒの信号電極駆動回路２３に供給する。なお、このように、一水平周期毎に正極性信号と負極性信号で画素を書き込む方法は１Ｈ反転駆動と呼ばれている。
【００１３】
また、左目用ＬＣＤ２０Ｌと右目用ＬＣＤ２０Ｒの信号電極駆動回路２３と走査電極駆動回路２２には、同期信号やクロック信号等が供給され、図９で説明したように、所定のタイミングでゲート線２５にゲートパルスＶｇが所定時間供給され、データ線２４に一水平周期毎に極性の反転した画像信号Ｖｓｉｇが供給される。
【００１４】
これにより、左目用ＬＣＤ２０Ｌと右目用ＬＣＤ２０Ｒは、同位相の１Ｈ反転駆動が行われる。図１１は従来における画素への書き込み極性例を示す説明図である。図１１（ａ）に示すように、左目用ＬＣＤ２０Ｌにおいて、奇数フィールドのＮラインを正極性信号で画素を書き込んだ場合、図１１（ｂ）に示すように、右目用ＬＣＤ２０Ｒの奇数フィールドのＮラインも正極性信号で画素を書き込む。そして、左目用ＬＣＤ２０Ｌと右目用ＬＣＤ２０Ｒとも、次のＮ＋１ラインは負極性信号で画素を書き込む。偶数フィールドでは、左目用ＬＣＤ２０Ｌと右目用ＬＣＤ２０ＲともＮラインを負極性信号で画素を書き込み、次のＮ＋１ラインを正極性信号で画素を書き込む。
【００１５】
図１２は液晶表示素子の電位の保持特性を示す波形図である。例えば、奇数フィールドにおいて、Ｎラインのｎドットに書き込みが行われると、偶数フィールドにおいて同じＮラインのｎドットに書き込みが行われるまで、電位が保持される。この図１２は、奇数フィールドにおいてＮラインを正極性信号で書き込みを行い、偶数フィールドにおいては負極性信号で書き込みを行った場合であるが、正極性信号で書き込みを行った場合、時間の経過とともに電位が低下する傾向にあることが判る。
【００１６】
図１３は各電極に供給される電圧レベルを示す波形図で、この図１３は画像信号Ｖｓｉｇと対向電極の電圧Ｖｃｏｍの関係を示している。上述したように、正極性の画像信号と負極性の画像信号では、入力信号の絶対値は同じでも、液晶表示素子ＬＣにおける電位の保持特性が異なる。このため、図１３に示すように、対向電極の電圧Ｖｃｏｍを画像信号の電圧センターＶｓｉｇ．ｃより下げて、液晶表示素子ＬＣに印加される平均電位の絶対値が等しくなるようにしている。
【００１７】
しかしながら、正極性信号と負極性信号では電位波形が異なるため、正極性信号での光出力と負極性信号での光出力波形が異なる傾向にある。そのため、奇数フィールド期間は正極性信号で画素を書き込み、偶数フィールド期間は負極性信号で画素を書き込むフィールド反転駆動では、面フリッカーが現れ、その改善方法として、上述したように１Ｈ反転駆動を行い、面フリッカーを軽減させている。
【００１８】
【発明が解決しようとする課題】
図１４は従来の１Ｈ反転駆動における画像信号の位相関係を示す波形図で、図１４（ａ）は左目用ＬＣＤ２０Ｌに供給される画像Ｖｓｉｇの波形、図１４（ｂ）は右目用ＬＣＤ２０Ｒに供給される画像信号Ｖｓｉｇの波形を示す。なお、Ｖｃｏｍは図示しない対向電極の電位である。この図１４に示すように、従来のヘッドマウントディスプレイ３０では、左目用ＬＣＤ２０Ｌと右目用ＬＣＤ２０Ｒで同位相の１Ｈ反転駆動を行っていた。すなわち、左目用ＬＣＤ２０Ｌにおいて、例えば奇数フィールドでＮラインを正極性信号で画素の書き込みを行うとすると、右目用ＬＣＤ２０Ｒにおいても、奇数フィールドのＮラインは正極性信号で画素の書き込みが行われていた。
【００１９】
図１５は従来の１Ｈ反転駆動における画像信号と光出力の関係を示す波形図で、図１５（ａ）は左目用ＬＣＤ２０Ｌにおける画像信号Ｖｓｉｇと光出力の関係、図１５（ｂ）は右目用ＬＣＤ２０Ｒにおける画像信号Ｖｓｉｇと光出力の関係を示す。この図１５に示すように、正極性信号で画素の書き込みを行った場合と負極性信号で画素の書き込みを行った場合とでは、光出力の波形に違いがあることが判る。そして、左目用ＬＣＤ２０Ｌと右目用ＬＣＤ２０Ｒを同位相で１Ｈ反転駆動を行っているので、この光出力の波形の違いが同位相で現れる。
【００２０】
図１６は従来の１Ｈ反転駆動における左右の光出力の特性を示す波形図で、図１６（ａ）は左目用ＬＣＤ２０Ｌにおける光出力の特性、図１６（ｂ）は右目用ＬＣＤ２０Ｒにおける光出力の特性、図１６（ｃ）は左右のＬＣＤの光出力を合成した際の特性を示す。
【００２１】
図１６（ａ），（ｂ）に示すように、左目用ＬＣＤ２０Ｌと右目用ＬＣＤ２０Ｒで光出力の波形の違いが同位相で現れることから、左右のＬＣＤの光出力を合成した場合、図１６（ｃ）に示すように、正極性信号で画素を書き込んだラインと負極性信号で画素を書き込んだラインで光出力（輝度）に差が生じることが判る。
【００２２】
このため、１Ｈ反転駆動を行っても、ラインフリッカーは存在し、また、動画時の横筋も現れ、画質の低下の要因になっているという問題があった。
【００２３】
本発明はこのような課題を解決するためなされたもので、ラインフリッカーが存在せず、かつ動画時の横筋も現れない液晶表示装置を提供することを目的とする。
【００２４】
【課題を解決するための手段】
上述した課題を解決するため、本発明に係る液晶表示装置は、画像を表示する第１の液晶ディスプレイと第２の液晶ディスプレイを用いて１つの画像を構成する液晶表示装置において、第１の液晶ディスプレイを駆動する第１のドライバと、第２の液晶ディスプレイを駆動する第２のドライバとを備え、第１のドライバは、正極性信号と負極性信号を交互に出力する第１のスイッチ手段を備えるとともに、第２のドライバは、正極性信号と負極性信号を交互に出力する第２のスイッチ手段を備え、第１のスイッチ手段が正極性信号を出力するとき、第２のスイッチ手段が負極性信号を出力し、第１のスイッチ手段が負極性信号を出力するとき、第２のスイッチ手段が正極性信号を出力することとしたものである。
【００２５】
本発明に係る液晶表示装置では、第１のドライバは、第１のスイッチ手段により正極性信号と負極性信号を交互に出力して第１の液晶ディスプレイを駆動する。第２のドライバは、第２のスイッチ手段により正極性信号と負極性信号を交互に出力して第２の液晶ディスプレイを駆動するが、第１の液晶ディスプレイが正極性信号で駆動されているときは、第２の液晶ディスプレイは負極性信号で駆動される。
【００２６】
これにより、第１の液晶ディスプレイと第２の液晶ディスプレイとの間では、同一位置に存在する各画素は逆位相の画像信号で駆動されることになる。よって、第１の液晶ディスプレイの画像と第２の液晶ディスプレイの画像が合成された画像は、輝度が均一化された画像となるので、面フリッカーやラインフリッカーが存在せず、かつ動画時の横筋も存在しない高品位の画質を得ることができる。
【００２７】
【発明の実施の形態】
以下、図面を参照して本発明の液晶表示装置の実施の形態を説明する。図１は本発明の液晶表示装置の第１の実施の形態であるヘッドマウントディスプレイ（ＨＭＤ）の構成例を示すブロック図である。本実施の形態のヘッドマウントディスプレイ１は、左目用の液晶ディスプレイ（左目用ＬＣＤ）２Ｌと右目用の液晶ディスプレイ（右目用ＬＣＤ）２Ｒをそれぞれ１Ｈ反転駆動する際に、左目用ＬＣＤ２Ｌと右目用ＬＣＤ２Ｒを逆位相で駆動するものである。
【００２８】
ヘッドマウントディスプレイ１は、左目用ＬＣＤ２Ｌと、右目用ＬＣＤ２Ｒと、左目用ＬＣＤ２Ｌに画像信号を供給する第１の交流反転用ドライバ３Ｌと、右目用ＬＣＤ２Ｒに画像信号を供給する第２の交流反転用ドライバ３Ｒと、図示しない再生装置から送られてくるコンポジット信号をデコードするデコーダ４等から構成される。
【００２９】
左目用ＬＣＤ２Ｌおよび右目用ＬＣＤ２Ｒは、図９で説明したような液晶パネル２１、走査電極駆動回路２２および信号電極駆動回路２３等を備える。デコーダ４は、図示しない再生装置からコンポジット信号を受け、画像信号や同期信号の分離、Ｙ／Ｃ分離を行う。
【００３０】
第１の交流反転用ドライバ３Ｌは、デコーダ４からの画像信号を、一水平周期毎に正極性と負極性が現れる画像信号として出力し、左目用ＬＣＤ２Ｌの信号電極駆動回路２３に供給する。第２の交流反転用ドライバ３Ｒは、デコーダ４からの画像信号を、一水平周期毎に正極性と負極性が現れる画像信号として出力し、右目用ＬＣＤ２Ｒの信号電極駆動回路２３に供給する。
【００３１】
図２は交流反転用ドライバの構成例を示す回路図で、図２（ａ）は第１の交流反転用ドライバ３Ｌの回路構成を示し、図２（ｂ）は第２の交流反転用ドライバ３Ｒの回路構成を示す。
【００３２】
第１の交流反転用ドライバ３Ｌは、増幅器５Ｌの後段に、図示しない同期回路からの同期信号によりオンとオフが切り換わる第１のスイッチ手段としての正極性信号スイッチ６Ｌａと負極性信号スイッチ６Ｌｂを備える。この正極性信号スイッチ６Ｌａと負極性信号スイッチ６Ｌｂは、例えばＣＭＯＳトランジスタにより構成され、正極性信号スイッチ６Ｌａがオンとなると、負極性信号スイッチ６Ｌｂがオフとなって正極性信号を出力し、負極性信号スイッチ６Ｌｂがオンとなると、正極性スイッチ６Ｌａがオフとなって負極性信号を出力するように構成される。この正極性信号スイッチ６Ｌａと負極性信号スイッチ６Ｌｂのオン、オフの切り替えは、一水平周期毎に行われる。
【００３３】
第２の交流反転用ドライバ３Ｒは、増幅器５Ｒの後段に、図示しない同期回路からの同期信号によりオンとオフが切り換わる第２のスイッチ手段としての正極性信号スイッチ６Ｒａと負極性信号スイッチ６Ｒｂを備える。この正極性信号スイッチ６Ｒａと負極性信号スイッチ６Ｒｂは、第１の交流反転用ドライバ３Ｌと同様に例えばＣＭＯＳトランジスタにより構成され、正極性信号スイッチ６Ｒａがオンとなると、負極性信号スイッチ６Ｒｂがオフとなって正極性信号を出力し、負極性信号スイッチ６Ｒｂがオンとなると、正極性スイッチ６Ｒａがオフとなって負極性信号を出力するように構成される。この正極性信号スイッチ６Ｒａと負極性信号スイッチ６Ｒｂのオン、オフの切り替えは、一水平周期毎に行われる。
【００３４】
そして、第１の交流反転用ドライバ３Ｌの正極性信号スイッチ６Ｌａがオンのとき、第２の交流反転用ドライバ３Ｒの正極性信号スイッチ６Ｒａがオフ、すなわち、第２の交流反転用ドライバ３Ｒの負極性信号スイッチ６Ｒｂがオンとなり、第１の交流反転用ドライバ３Ｌの負極性信号スイッチ６Ｌｂがオンのとき、第２の交流反転用ドライバ３Ｒの負極性信号スイッチ６Ｌｂがオフ、すなわち、第２の交流反転用ドライバ３Ｒの正極性信号スイッチ６Ｌａがオンとなるように構成されている。
【００３５】
図１に戻り、左目用ＬＣＤ２Ｌと右目用ＬＣＤ２Ｒの信号電極駆動回路２３と走査電極駆動回路２２には、同期信号やクロック信号等が供給される。そして、図９で説明したように、所定のタイミングで左目用ＬＣＤ２Ｌおよび右目用ＬＣＤ２Ｒのゲート線２５にゲートパルスＶｇが所定時間供給され、左目用ＬＣＤ２Ｌのデータ線２４には第１の交流反転用ドライバ３Ｌから一水平周期毎に極性の反転した画像信号Ｖｓｉｇが供給され、右目用ＬＣＤ２Ｒのデータ線２４には第２の交流反転用ドライバ３Ｒから一水平周期毎に極性の反転した画像信号Ｖｓｉｇが供給される。
【００３６】
これにより、左目用ＬＣＤ２Ｌと右目用ＬＣＤ２Ｒは、逆位相の１Ｈ反転駆動が行われる。図３は本実施の形態における画素への書き込み極性例を示す説明図である。図３（ａ）に示すように、左目用ＬＣＤ２Ｌにおいて、奇数フィールドのＮラインを正極性信号で画素を書き込んだ場合、図３（ｂ）に示すように、右目用ＬＣＤ２Ｒの奇数フィールドのＮラインは負極性信号で画素を書き込む。そして、左目用ＬＣＤ２ＬのＮ＋１ラインは負極性信号で画素を書き込み、右目用ＬＣＤ２ＲのＮ＋１ラインは正極性信号で画素を書き込む。偶数フィールドでは、左目用ＬＣＤ２ＬのＮラインを負極性信号で画素を書き込み、右目用ＬＣＤ２ＲのＮラインを正極性信号で画素を書き込む。そして、左目用ＬＣＤ２ＬのＮ＋１ラインは正極性信号で画素を書き込み、右目用ＬＣＤＲのＮ＋１ラインは負極性信号で画素を書き込む。
【００３７】
図４は本実施の形態の１Ｈ反転駆動における画像信号の位相関係を示す波形図で、図４（ａ）は左目用ＬＣＤ２Ｌに供給される画像信号Ｖｓｉｇの波形、図４（ｂ）は右目用ＬＣＤ２Ｒに供給される画像信号Ｖｓｉｇの波形を示す。なお、Ｖｃｏｍは図示しない対向電極の電位である。この図４に示すように、本実施の形態のヘッドマウントディスプレイ１では、左目用ＬＣＤ２Ｌと右目用ＬＣＤ２Ｒで逆位相の１Ｈ反転駆動が行われる。すなわち、左目用ＬＣＤ２Ｌにおいて、例えば奇数フィールドでＮラインを正極性信号で画素の書き込みを行うとすると、右目用ＬＣＤ２Ｒにおいては、奇数フィールドのＮラインは負極性信号で画素の書き込みが行われる。
【００３８】
図５は本実施の形態の１Ｈ反転駆動における画像信号と光出力の関係を示す波形図で、図５（ａ）は左目用ＬＣＤ２Ｌにおける画像信号Ｖｓｉｇと光出力の関係、図５（ｂ）は右目用ＬＣＤ２Ｒにおける画像信号Ｖｓｉｇと光出力の関係を示す。この図５に示すように、正極性信号で画素の書き込みを行った場合と負極性信号で画素の書き込みを行った場合とでは、光出力の波形に違いがあることが判る。そして、左目用ＬＣＤ２Ｌと右目用ＬＣＤ２Ｒを逆位相で１Ｈ反転駆動を行っているので、この光出力の波形の違いが左目用ＬＣＤ２Ｌと右目用ＬＣＤ２Ｒでは逆位相で現れる。
【００３９】
図６は本実施の形態の１Ｈ反転駆動における左右の光出力の特性を示す波形図で、図６（ａ）は左目用ＬＣＤ２Ｌにおける光出力の特性、図６（ｂ）は右目用ＬＣＤ２Ｒにおける光出力の特性、図６（ｃ）は左右のＬＣＤの光出力を合成した際の特性を示す。
【００４０】
図６（ａ），（ｂ）に示すように、左目用ＬＣＤ２Ｌと右目用ＬＣＤ２Ｒで光出力の波形の違いが逆位相で現れることから、左右のＬＣＤの光出力を合成した場合、図６（ｃ）に示すように、光出力の波形が各ラインで均一化される。これにより、本実施の形態のヘッドマウントディスプレイ１では、ラインフリッカーが存在しなくなり、また、動画時の横筋も現れず、画像の劣化がなくなる。
【００４１】
図７は本発明の液晶表示装置の第２の実施の形態である３−Ｄ用のヘッドマウントディスプレイの構成例を示すブロック図である。この第２の実施の形態におけるヘッドマウントディスプレイ７は、左目用ＬＣＤ２Ｌと右目用ＬＣＤ２Ｒで若干異なる画像信号が用いられるので、立体画像を構成する第１の画像信号を含む左目用のコンポジット信号をデコードする第１のデコーダ８Ｌと、立体画像を構成する第２の画像信号を含む右目用のコンポジット信号をデコードする第２のデコーダ８Ｒをそれぞれ備える。そして、第１のデコーダ８Ｌは第１の交流反転用ドライバ３Ｌと接続され、第２のデコーダ８Ｒは第２の交流反転用ドライバ３Ｒと接続される。
【００４２】
第１の交流反転用ドライバ３Ｌと第２の交流反転用ドライバ３Ｒは、図２で説明したように、一水平周期毎に正極性と負極性の画像信号Ｖｓｉｇを出力する。かつ、第１の交流反転用ドライバ３Ｌが正極性信号を出力するときは、第２の交流反転用ドライバ３Ｒは負極性信号を出力するように構成して、左目用ＬＣＤ２Ｌと右目用ＬＣＤ２Ｒで、逆位相の１Ｈ反転駆動が行われる。これにより、第１の実施の形態と同様に、左右のＬＣＤの光出力が合成されると、図６（ｃ）に示すように、光出力の波形が各ラインで均一化される。これにより、第２実施の形態のヘッドマウントディスプレイ７でも、ラインフリッカーが存在しなくなり、また、動画時の横筋も現れず、画像の劣化がなくなる。
【００４３】
図８は本発明の液晶表示装置の第３の実施の形態である液晶プロジェクターの構成例を示すブロック図である。液晶プロジェクター９は、第１のＬＣＤ１０ａと、第１のＬＣＤ１０ａに光を投射する第１の光源１１ａと、第２のＬＣＤ１０ｂと、第２のＬＣＤ１０ｂに光を投射する第２の光源１１ｂ等を備え、第１のＬＣＤ１０ａを透過した光と第２のＬＣＤ１０ｂを透過した光をスクリーン１２上で合成するものである。なお、ミラーやハーフミラー等を用いて合成した画像をスクリーンに投射する構成でもよい。
【００４４】
また、液晶プロジェクター９は、第１のＬＣＤ１０ａに画像信号を供給する第１の交流反転用ドライバ３Ｌと第２のＬＣＤ１０ｂに画像信号を供給する第２の交流反転用ドライバ３Ｒと、図示しない再生装置から送られてくるコンポジット信号をデコードするデコーダ４等を備える。
【００４５】
第１の交流反転用ドライバ３Ｌと第２の交流反転用ドライバ３Ｒは、図２で説明したように、一水平周期毎に正極性と負極性の画像信号Ｖｓｉｇを出力する。かつ、第１の交流反転用ドライバ３Ｌが正極性信号を出力するときは、第２の交流反転用ドライバ３Ｒは負極性信号を出力するように構成して、第１のＬＣＤ１０ａと第２のＬＣＤ１０ｂで、逆位相の１Ｈ反転駆動が行われる。これにより、第１の実施の形態と同様に、左右のＬＣＤの光出力が合成されると、図６（ｃ）に示すように、光出力の波形が各ラインで均一化される。これにより、第３実施の形態の液晶プロジェクター９でも、ラインフリッカーが存在しなくなり、また、動画時の横筋も現れず、画像の劣化がなくなる。
【００４６】
【発明の効果】
以上説明したように、本発明は、画像を表示する第１の液晶ディスプレイと第２の液晶ディスプレイを用いて１つの画像を構成する液晶表示装置において、第１の液晶ディスプレイを駆動する第１のドライバと、第２の液晶ディスプレイを駆動する第２のドライバとを備え、第１のドライバは、正極性信号と負極性信号を交互に出力する第１のスイッチ手段を備えるとともに、第２のドライバは、正極性信号と負極性信号を交互に出力する第２のスイッチ手段を備え、第１のスイッチ手段が正極性信号を出力するとき、第２のスイッチ手段が負極性信号を出力し、第１のスイッチ手段が負極性信号を出力するとき、第２のスイッチ手段が正極性信号を出力することとしたものである。
【００４７】
これにより、第１の液晶ディスプレイと第２の液晶ディスプレイとの間では、同一位置に存在する各画素は逆位相の画像信号で駆動されることになる。よって、第１の液晶ディスプレイの画像と第２の液晶ディスプレイの画像が合成された画像は、輝度が均一化された画像となるので、面フリッカーやラインフリッカーが存在せず、かつ動画時の横筋も存在しない高品位の画質を得ることができる。
【図面の簡単な説明】
【図１】本発明の液晶表示装置の第１の実施の形態であるヘッドマウントディスプレイの構成例を示すブロック図である。
【図２】交流反転用ドライバの構成例を示す回路図である。
【図３】本実施の形態における画素への書き込み極性例を示す説明図である。
【図４】本実施の形態の１Ｈ反転駆動における画像信号の位相関係を示す波形図である。
【図５】本実施の形態の１Ｈ反転駆動における画像信号と光出力の関係を示す波形図である。
【図６】本実施の形態の１Ｈ反転駆動における左右の光出力の特性を示す波形図である。
【図７】本発明の液晶表示装置の第２の実施の形態である３Ｄ用のヘッドマウントディスプレイの構成例を示すブロック図である。
【図８】本発明の液晶表示装置の第３の実施の形態である液晶プロジェクターの構成例を示すブロック図である。
【図９】アクティブマトリクス方式の液晶ディスプレイの構成例を示すブロック図である。
【図１０】従来のヘッドマウントディスプレイの構成例を示すブロック図である。
【図１１】従来における画素への書き込み極性例を示す説明図である。
【図１２】液晶表示素子の電位の保持特性を示す波形図である。
【図１３】各電極に供給される電圧レベルを示す波形図である。
【図１４】従来の１Ｈ反転駆動における画像信号の位相関係を示す波形図である。
【図１５】従来の１Ｈ反転駆動における画像信号と光出力の関係を示す波形図である。
【図１６】従来の１Ｈ反転駆動における左右の光出力の特性を示す波形図である。
【符号の説明】
１・・・ヘッドマウントディスプレイ、２Ｌ・・・左目用ＬＣＤ、２Ｒ・・・右目用ＬＣＤ、３Ｌ・・・第１の交流反転用ドライバ、３Ｒ・・・第２の交流反転用ドライバ、４・・・デコーダ、５Ｌ，５Ｒ・・・増幅器、６Ｌａ，６Ｒａ・・・正極性信号スイッチ、６Ｌｂ，６Ｒｂ・・・負極性信号スイッチ、７・・・ヘッドマウントディスプレイ、８Ｌ・・・第１のデコーダ、８Ｒ・・・第２のデコーダ、９・・・液晶プロジェクター、１０ａ・・・第１のＬＣＤ、１０ｂ・・・第２のＬＣＤ、１１ａ・・・第１の光源、１１ｂ・・・第２の光源、１２・・・スクリーン、２１・・・液晶パネル、２２・・・走査電極駆動回路、２３・・・信号電極駆動回路、２４・・・データ線、２５・・・ゲート線
【図１】
2004117894.tif 000003
【図２】
2004117894.tif 000004
【図３】
2004117894.tif 000005
【図４】
2004117894.tif 000006
【図５】
2004117894.tif 000007
【図６】
2004117894.tif 000008
【図７】
2004117894.tif 000009
【図８】
2004117894.tif 000010
【図９】
2004117894.tif 000011
【図１０】
2004117894.tif 000012
【図１１】
2004117894.tif 000013
【図１２】
2004117894.tif 000014
【図１３】
2004117894.tif 000015
【図１４】
2004117894.tif 000016
【図１５】
2004117894.tif 000017
【図１６】
2004117894.tif 000018